(57)【要約】    【課題】  給水ボックス内の容器が、水の供給を受けて重量物となった場合であっても、給水ボックスからの引き出しを容易に行うことができ、利用者の負担を軽減可能な水自動販売機を提供する。    【解決手段】  水自動販売機１の中央部には、ボトル型の容器２を収容するための給水ボックス３が設けられている。給水ボックス３の下部に、容器２の底部を支持する水平方向の支持部２０を設ける。支持部２０の上部に、複数の回動部材２１を水平方向に配設する。回動部材２１は円筒形状であり、複数本を互いに平行に配設する。それぞれの回動部材２１を、容器２の移動方向（図３中、矢印方向）と直交する方向の軸部２１ａを中心に、回動可能に設ける。これにより、回動部材２１は、水が充填された容器２が引き出されるに従って回動することにより、この容器２に係る摩擦力を低減できる構造となっている。【選択図】  図１
2005196302.tif 000002
【特許請求の範囲】
【請求項１】
販売対象となる浄水を容器に対して供給する水自動販売機において、
前記容器に前記浄水を供給するために、前記容器を収容可能に設けられた給水ボックスと、
前記給水ボックスの下部に設けられ、浄水が供給される前記容器の底部を支持する支持部と、
前記支持部に設けられ、前記給水ボックスからの前記容器の引出時に、前記容器の底部との摩擦を低減するように動作する可動部材が設けられていることを特徴とする水自動販売機。
【請求項２】
前記可動部材は、水平に配列された複数の回動部材であることを特徴とする請求項１記載の水自動販売機。
【請求項３】
前記支持部は、前記給水ボックスから引出側に突出しており、前記突出部の引出側端部には、前記可動部材が設けられていない水平面が備えられていることを特徴とする請求項１又は請求項２記載の水自動販売機。
【請求項４】
前記可動部材は、前記容器の引出方向にスライド移動可能なスライド部材であることを特徴とする請求項１記載の水自動販売機。
【請求項５】
前記支持部は、前記給水ボックスから引出側に突出しており、
前記支持部には、前記スライド部材の移動を所定量で停止させるストッパが設けられていることを特徴とする請求項４記載の水自動販売機。
【請求項６】
前記ストッパと前記スライド部材との間には、緩衝部材が設けられていることを特徴とする請求項５記載の水自動販売機。
【請求項７】
前記支持部は、前記給水ボックスから引出側に突出しており、
前記支持部における突出部分には、前記容器が載置された状態で昇降可能な昇降部が設けられていることを特徴とする請求項１〜６のいずれか１項に記載の水自動販売機。
【請求項８】
前記昇降部は、上下にスライド移動可能に設けられていることを特徴とする請求項７記載の水自動販売機。
【請求項９】
前記昇降部は、回動するアーム部と、前記アーム部に連結されることにより、略円弧状の軌道で昇降移動する台板とを有することを特徴とする請求項７記載の水自動販売機。
【請求項１０】
前記給水ボックスの近傍に、容器洗浄器及び手洗器を備えたことを特徴とする請求項１〜９のいずれか１項に記載の水自動販売機。
【請求項１１】
前記給水ボックスと前記容器洗浄器との間で容器を搬送する容器搬送機構を備えたことを特徴とする請求項１０記載の水自動販売機。
【発明の詳細な説明】
【技術分野】
【０００１】
本発明は、原水から生成した浄水を、容器に供給して販売する水自動販売機に係り、特に、水を充填して重量物となった容器を、外部に引き出すための構造に改良を施した水自動販売機に関するものである。
【背景技術】
【０００２】
現代の消費生活では健康や安全を重視する傾向が強まっており、毎日使用する水に関しては高い水質が要求されている。単に飲料水として用いる場合には、ミネラルウォーターなどの清涼飲料水がペットボトルに詰められて販売されているが、調理や米の研ぎ水など家庭単位で大量に使う場合には、容器式の水自動販売機が利用されている。容器式の水自動販売機とは、水道水等の原水から水処理装置によって浄水を生成し、この浄水を利用者が持参した容器に給水・販売するものである。
【０００３】
水自動販売機については、厚生労働省の規格基準のもと、食品衛生法に適合した構造の機器によって、同法が定める「清涼飲料水」が消費者に提供されている。また、清涼飲料水を持ち帰るための容器についても、容器本体から容器構成物質が溶出しないなど同法に適合した容器が利用されている。このような水自動販売機は、容器の再利用（リユース）が可能なので経済的であり、環境調和の観点からも優れている。このため、近年では、水自動販売機の需要は拡大傾向にあり、様々な技術が提案されている(例えば、特許文献１参照)。
【０００４】
かかる容器式の水自動販売機には、利用者が持参した容器を収容し、その容器に浄水を供給するためのスペースとして、給水ボックスが設けられている。この給水ボックスの内底には、容器の底部を支持する支持部が設けられ、前部には扉が設けられている。そして、利用者は、この扉を開けて、機器の前面等に貼付した説明図や支持部に表示した印等によって指示されている位置に、容器をセットする。このようにセットされた容器に対しては、洗浄等が施された後、浄水が供給される。
【０００５】
ところで、水自動販売機は、厚生労働省食品衛生法の「水自動販売機に関する衛生指導要領（平成１５年１１月１９日）」によって、「コップ販売式自動販売機」として、「喫茶店営業許可」又は、その他「適当な営業許可」を受けることになった。この衛生指導指導要領中、４．衛生に関する事項（２）には、以下のような記載がある。
【０００６】
『水の自動販売機により販売された水は、コップ販売式自動販売機及び清涼飲料水全自動調理機により販売された清涼飲料水と販売後の消費形態が異なることから、以下の事項について自動販売機の見やすい位置に表示するなど、購入者への注意喚起に務めること。
（イ）水を購入するために持参する容器等はよく洗浄されたものであること。』
【０００７】
これは、「コップ販売式自動販売機」として「喫茶店営業許可」を取得するにあたり、機器に隣接して手洗器を設置することが義務づけられていた従来の許可基準に加えて、本指導容量により、容器を洗浄することが義務付けられてきたことを意味する。
【０００８】
これに対処するために、例えば、水自動販売機を新設する場合に、手洗器を設置するにとどまり、容器については、「よく洗浄して持参するように」と、利用者に管理をまかせる方法が考えられる。しかし、かかる方法のみでは、容器の衛生管理上の問題が懸念される。なぜなら、持参した容器の洗浄程度の相違が、持ち帰る水自体の品質に大きく影響することになるからである。例えば、自宅に十分な容器の洗浄が可能かどうかについては、さらに、利用者が容器洗浄後、水自動販売機まで持参して水の供給を受けるまでの間の所要時間や取り扱い方法については、各利用者の所有施設、自宅の位置、衛生観念等によって多種多様であり、汚染の可能性を完全に排除することは困難である。
【０００９】
そこで、例えば、自動販売機内における給水ボックス内において、給水前に容器洗浄を行う洗浄装置として、種々のものが提案されている（特許文献１参照）。例えば、給水ボックス内で空の容器に水道水を噴射し、水道水の溶存塩素と水圧により容器を洗浄する装置がある。また、水道水を容器容量の半分程度注入し、水道水をこぼさないように容器を左右にそれぞれ９０度交互に反転させ、容器内面の左半分と右半分を水道水で濡らす装置も提案されている。
【００１０】
【特許文献１】特開２００２−２６９６３２号公報
【発明の開示】
【発明が解決しようとする課題】
【００１１】
ところで、上記のような水自動販売機において、給水を受けるために利用者が持参する空容器は軽いため、利用者が空容器を給水ボックス内にセットする際には、強い腕力は不要である。しかしながら、給水ボックス内で給水を終えて水が充填された容器は、非常に重くなる。特に、家庭単位等で使う大容量の容器の場合には、給水ボックスの扉内から不用意に容器を取り出すと、手首や手に大変な負担がかかる。
【００１２】
これをより詳細に述べると、まず、容器を単純に上下させるのであれば、手首、肘、肩に対し加わるのは、垂直方向の軸力が主となるので、いわゆる引張り力に対する筋力が主に要求されることになる。しかし、重力物となった容器が水自動販売機内部にあり、これを手前に引き出す場合には、販売機内部と身体の中心部とに距離があるため、手首、肘、肩等の関節部を支点とした曲げモーメントが発生する。このため、関節部に多大な負担がかかるのである。
【００１３】
このような関節部への負担を軽減するために、利用者は、容器を極力体の近くまで引っ張り出そうとする。しかし、上述の通り容器は非常に重くなっており、しかも容器における底部と給水ボックスにおける支持部との間で摩擦力が働く関係上、力の弱い利用者にとっては、大変な負担となる。
【００１４】
また、上記のように、水道水による容器の洗浄から給水までの一連の動作を、水自動販売機内の給水ボックスで行う洗浄装置において、容器洗浄を徹底的に行うためには、一人の利用者が容器を給水ボックスにセットしてから水を充填した容器を取り出せるまでに、長時間を要することになる。特に、洗浄に使用する水道水中の不純物が、容器内面に付着するため、これを洗い落とすためには、さらにリンス水を用いなければならず、時間がかかる。これでは、多くの顧客を集めることが期待できる環境であっても、処理効率が悪いために顧客が行列をなしてしまう可能性が高く、水自動販売機を用いたビジネスでは不可欠な顧客満足度の向上を図ることが困難となる。
【００１５】
これに対処するため、洗浄のための所要時間を短縮すると、十分な洗浄は行うことができず、衛生上の問題や、水道水中の塩素による臭気の残留などの問題により、やはり顧客の満足を得ることができず、安全でおいしい水を供給するという水自動販売機の本来の目的を逸脱してしまう。
【００１６】
本発明は、このような従来技術が持つ課題を解決するために提案されたものであり、その主たる目的は、給水ボックス内の容器が、水の供給を受けて重量物となった場合であっても、給水ボックスからの引き出しを容易に行うことができ、利用者の負担を軽減可能な水自動販売機を提供することである。
【００１７】
本発明の他の目的は、容器洗浄器及び手洗器を併設させることにより、利用者側の事情の相違にかかわらず、行政上の基準等に沿った優れた衛生管理を実現することができるとともに、効率のよい処理により、利用者の満足度の向上による利益拡大が期待できる水自動販売機を提供することにある。
【課題を解決するための手段】
【００１８】
上記の目的を達成するため、本発明は、販売対象となる浄水を容器に対して供給する水自動販売機において、以下のような技術的特徴を有する。
【００１９】
すなわち、請求項１記載の発明は、前記容器に前記浄水を供給するために、前記容器を収容可能に設けられた給水ボックスと、前記給水ボックスの下部に設けられ、浄水が供給される前記容器の底部を支持する支持部と、前記支持部に設けられ、前記給水ボックスからの前記容器の引出時に、前記容器の底部との摩擦を低減するように動作する可動部材が設けられていることを特徴とする。
以上のような請求項１記載の発明では、水の供給を受けて重量物となった容器を、利用者が給水ボックスから引き出す際に、可動部材が動作することによって、容器の底部との摩擦が低減されるので、利用者にかかる負担が大幅に軽減される。このため、数多くの人に大量の水を迅速且つ効率的に供給することができ、所定の水質基準に適合した浄水販売において、単位時間当たりに得られる利益が増大する。
【００２０】
請求項２記載の発明は、請求項１記載の水自動販売機において、前記可動部材は、水平に配列された複数の回動部材であることを特徴とする。
以上のような請求項２記載の発明では、水の供給を受けて重量物となった容器を、利用者が給水ボックスから引き出す際に、複数の回動部材が回動することにより、容器の底部との摩擦が低減されるとともに、複数の回動部材の間から水を排出することができるので、容器の外部に滴下した水の水はけが向上する。
【００２１】
請求項３記載の発明は、請求項２記載の水自動販売機において、前記支持部は、前記給水ボックスから引出側に突出しており、前記突出部の引出側端部には、前記可動部材が設けられていない水平面が備えられていることを特徴とする。
以上のような請求項３記載の発明では、引き出された容器は、可動部材がない水平面において停止するので、勢いがついて容器が滑落することが防止される。
【００２２】
請求項４記載の発明は、請求項１記載の水自動販売機において、前記可動部材は、前記容器の引出方向にスライド移動可能なスライド部材であることを特徴とする。
以上のような請求項４記載の発明によれば、水の供給を受けて重量物となった容器を、利用者が給水ボックスから引き出す際に、スライド部材のスライド移動に従って容器が移動するので、安定した姿勢でスムーズに引き出すことができる。
【００２３】
請求項５記載の発明は、請求項４記載の水自動販売機において、前記支持部は、前記給水ボックスから引出側に突出しており、前記支持部には、前記スライド部材の移動を所定量で停止させるストッパが設けられていることを特徴とする。
以上のような請求項５記載の発明では、スライド部材がストッパで停止することにより、引き出された容器も停止するので、勢いがついて容器が滑落することが防止される。
【００２４】
請求項６記載の発明は、請求項５記載の水自動販売機において、前記ストッパと前記スライド部材との間には、緩衝部材が設けられていることを特徴とする。
以上のような請求項６記載の発明では、緩衝部材によって、スライド部材がストッパに当たるときの衝撃が緩和されるので、容器の滑落等をより確実に防止できる。
【００２５】
請求項７記載の発明は、請求項１〜６のいずれか１項に記載の水自動販売機において、前記支持部は、前記給水ボックスから引出側に突出しており、前記支持部における突出部分には、前記容器が載置された状態で昇降可能な昇降部が設けられていることを特徴とする。
以上のような請求項７記載の発明では、引き出された容器は、昇降部に載置された状態で、利用者にとって利用しやすい高さに昇降させることができるので、容器の搬出がより一層便利となる。
【００２６】
請求項８記載の発明は、請求項７記載の水自動販売機において、前記昇降部は、上下にスライド移動可能に設けられていることを特徴とする。
以上のような請求項８記載の発明では、容器を載置した状態で上下にスライド移動するので、姿勢が安定し、所要スペースも節約できる。
【００２７】
請求項９記載の発明は、請求項７記載の水自動販売機において、前記昇降部は、回動するアーム部と、前記アーム部に連結されることにより、略円弧状の軌道で昇降移動する台板とを有することを特徴とする。
以上のような請求項９記載の発明では、アーム部の回動に従って、台板が所定の方向にせり出すように移動するので、短距離の横移動をさせる手間が省け、車のトランクや荷台に容器を移載する際に非常に便利である。
【００２８】
請求項１０記載の発明は、請求項１〜９のいずれか１項に記載の水自動販売機において、前記給水ボックスの近傍に、容器洗浄器及び手洗器を備えたことを特徴とする。
以上のような請求項１０記載の発明では、容器洗浄器及び手洗器を備えることにより、給水を受ける利用者が、あらかじめ容器を洗浄すると同時に、手指を洗うことができる。また、先行する利用者が給水を受けている間に、次の利用者が容器洗浄及び手指の洗浄を行うことができる。このため、多数の利用者が効率良くサービスを受けることができ、待機時間に耐えられない利用者には時間を有効に活用させ、衛生に対する意識の高い利用者には安心して利用させることが可能となるので、特定の顧客に拒否されるようなことがない。また、種々の許可基準にも適合しやすくなり、設置場所が制限され難い。従って、請求項１〜９のような優れた機能を、多数の人にあらゆる場所において利用してもらうことができ、全体として経済的利益を得やすい販売機を構成できる。
【００２９】
請求項１１記載の発明は、請求項１０記載の水自動販売機において、前記容器洗浄器と前記給水ボックスとの間で、容器を搬送する容器搬送機構を備えたことを特徴とする。
以上のような請求項１１記載の発明では、容器洗浄器において洗浄された容器が、利用者の手指に触れることなく、容器搬送機構によって給水ボックスへと自動搬送されるので、利用者の手間が省けるとともに、手指が容器に接触することにより洗浄効果が低減することがない。
【発明の効果】
【００３０】
以上説明したように、本発明によれば、給水ボックス内の容器が、水の供給を受けて重量物となった場合であっても、給水ボックスからの引き出しを容易に行うことができ、利用者の負担を軽減可能な水自動販売機を提供することができる。
【００３１】
また、本発明によれば、容器洗浄器及び手洗器を併設させることにより、利用者側の事情の相違にかかわらず、行政上の基準等に沿った優れた衛生管理を実現することができるとともに、効率のよい処理により、利用者の満足度の向上による利益拡大が期待可能な水自動販売機を提供することができる。
【発明を実施するための最良の形態】
【００３２】
続いて、本発明を実施するための最良の形態（以下「実施形態」と呼ぶ）について、図１〜図８を参照して具体的に説明する。
（１）第１の実施形態
［構成］
本発明の第１の実施形態を、図１〜３を参照して説明する。本実施形態は、逆浸透膜方式を採用した容器式の水自動販売機である。なお、図１は本実施形態の正面図、図２及び図３は本実施形態の透視側面図である。
【００３３】
まず、図１に示すように、水自動販売機１の中央部には、ボトル型の容器２を収容するための給水ボックス３が設けられており、ここで容器２への給水が行われる。給水ボックス３の前部には、給水ボックス３を出し入れするための取出口６が設けられており、この取出口６には、開閉自在な給水扉５が取り付けられている。給水扉５は正面から見て向かって左側縁部が、蝶番により水自動販売機１の正面に取り付けられ、右側縁部にハンドル部５ａが固定されており、ハンドル部５ａを手前側に引いて開けるように構成されている。
【００３４】
給水ボックス３の内部には、図２に示すように、給水ノズル１２が配置されている。この給水ノズル１２には、逆浸透膜による浄水装置等（図示せず）に接続されており、自動制御された弁等が開閉することにより、容器２に対して適量の浄水が供給されるように構成されている。また、給水ボックス３内には、セットされる容器２を両脇から保持する保持具３ａが設けられているため、利用者はこの保持具３ａに合わせて容器２を押し込むことにより、給水ノズル１２の下部に、容器２の給水口の位置が合うように構成されている。
【００３５】
給水ボックス３の下部には、図２及び図３に示すように、容器２の底部を支持する水平方向の支持部２０が設けられている。この支持部２０の上部には、複数の回動部材２１が水平方向に配設されている。これらの回動部材２１は円筒形状であり、複数本が互いに平行に配設されている。そして、それぞれの回動部材２１は、容器２の移動方向（図３中、矢印方向）と直交する方向の軸部２１ａを中心に、回動可能に設けられている。従って、回動部材２１は、水が充填された容器２が引き出されるに従って回動することにより、この容器２に係る摩擦力を低減できる構造となっている。
【００３６】
また、支持部２０の手前側（図３中、左側）は、給水ボックス３の外部に突出したカウンター状の台板２２となっており、回動部材２１が設けられている位置は、この台板２２の水平突出距離の半分程度までとなっている。そして、利用者に最も近い部分は、水平面となっている。この水平面の表面は、平滑面としても、凹凸を形成して容器が停止しやすくしてもよい。滑り止めとなるシート等を貼付してもよい。
【００３７】
なお、給水ボックス３の内壁面は、ステンレスなどの腐食酸化しにくい金属から構成することが望ましく、その表面には酸化チタンが定着されていてもよい。また、給水扉５の開閉については、ラチェットや磁気ソレノイド等を用い、通常時は施錠状態とし、カード又はコインの挿入により開錠状態となるように制御してもよい。また、給水扉５は自動式又は手動式にて開閉し、容器２への給水完了後、容器２を取り出すと、自動的に元の施錠状態となるよう制御してもよい。
【００３８】
［作用］
以上のような構成を有する本実施形態は、次のように利用することができる。すなわち、利用者は、容器２のキャップを外して、ハンドル部５ａを手前側に引くことによって給水扉５を開け、給水ボックス３内における保持具３ａに合わせて、容器２を奥へ押し込む。すると、容器２は、その給水口が給水ノズル１２の直下に来るように、位置合わせがなされる。そして、給水ノズル１２から容器２の給水口へ浄水が供給され、容器２内に所定量の浄水が満たされた後、給水が停止する。
【００３９】
次に、利用者は、容器２の側面若しくは取っ手部分を持って、容器２を手前に引き寄せる。すると、容器２の移動に従って、その底面に接触する回動部材２１が回動するのでコロの機能を果たし、容器２に係る摩擦力が低減される。従って、利用者は、浄水で満たされて重くなった容器２を、給水ボックス３から楽に引き出すことができ、関節への負担が軽減される。このように引き出された容器２は、回動部材２１のない台板２２において停止するので、勢いがついて容器２が滑落することを防止できる。このように、容器２を取り出すと、給水扉５が、自動的に閉じて元の施錠状態となる。利用者は、キャップによって容器２の給水口を閉じた後、容器２を搬出する。
【００４０】
［効果］
以上のような本実施形態によれば、利用者は、浄水が満たされて重量物となった容器２を、給水ボックス３から簡単且つ迅速に引き出すことができ、関節への負担が軽減されるので、利用者の利便性が向上する。これは、女性、子供、お年寄り等、比較的腕力の弱い人にとって非常に有効となるため、幅広い顧客層において、集客力を向上させることができる。また、平行配置された複数の回動部材２１を利用するため、容器２の外部に滴下した水を、回動部材２１の間から排出させることができ、給水ボックス３における水はけが良好なものなる。
【００４１】
これに加えて、本実施形態によれば、数多くの利用者が行列をつくっている場合等であっても、容器２の引き出しに時間がかからないため、皆が迅速に水の供給を受けることができ、待ち時間が少なくなる。容器２の引き出し後の滑落も、台板２２によって防止されるため、事故による待ち時間の長期化も防ぐことができる。従って、大量の利用者に、浄水を効率良く供給・販売することができ、単位時間当たりに得られる利益が向上する。また、容器２の容量を大きくして給水量を増やすことによって、給水後の容器２の重量が増大しても、給水ボックス３からの引き出しに手間がかからない。従って、単位時間当たりの販売量を多くすることができ、これによっても利益が向上する。
【００４２】
以上のことから、本実施形態を利用して水の販売を行えば、販売料金を抑えても、従来と同様若しくはそれ以上の利益を得ることができ、競業他社よりも優位に立つことができる。つまり、本実施形態は、単に利用者の利便性と安全性の向上に寄与するのみでなく、これにより水を販売する者に多大な利益をもたらし、競争熾烈な水販売市場において、優位に立てるビジネスモデルを実現するための強力な武器として、有効に機能するものといえる。
【００４３】
（２）第２の実施形態
［構成］
本発明の第２の実施形態を、図４の透視側面図を参照して説明する。すなわち、本実施形態の基本構成は、図１〜３の第１の実施形態と同様である。但し、本実施形態においては、支持部２０の上部に、スライド板３０が、容器２の移動方向（図４中、矢印方向）にスライド移動可能に設けられている。このスライド板３０のスライド移動は、支持部２０側に設けられたガイド部材（図示せず）にガイドされるように構成されている。ガイド部材としては、直線状のガイドレールや、スライド板３０の左右の側面に対応する位置に設けられた側壁等の種々のものが考えられるが、スライド板３０のスライド移動を実現できるものであれば、どのような構造であってもよい。また、スライド板３０とガイド部材若しくは支持部２０との間に、滑車、ローラー等の回動部材を介在させることによって、移動を滑らかにさせることもできる。
【００４４】
さらに、支持部２０における利用者に最も近い端部（図４中、左端）には、スライド板３０の移動を停止させるストッパ３１が設けられている。ストッパ３１には、スライド板３０との接触部分に、ゴム、スポンジ等の緩衝部材３２が設けられ、スライド板３０との衝突による衝撃を吸収できるように構成されている。なお、スライド板３０と接触する当接具とスプリングによって、緩衝部材３２を構成してもよい。
【００４５】
［作用］
以上のような構成を有する本実施形態の作用は、次のように利用することができる。すなわち、上記の第１の実施形態と同様に、給水扉５を開けて、保持具３ａに空き容器２を押し込むことによって、スライド板３０上に容器２をセットする。そして、容器２への浄水の充填後、利用者は、容器２の側面若しくは取っ手部分を持って、容器２を手前に引き寄せる。すると、容器２の移動に従って、スライド板３０がスライド移動するので、容器２に係る摩擦力が低減される。従って、利用者は、浄水で満たされて重くなった容器２を、給水ボックス３から楽に引き出すことができ、関節への負担が軽減される。このように引き出された容器２は、ストッパ３１の緩衝部材３２に、スライド板３０が当接することによって停止するので、勢いがついて容器２が滑落することを防止できる。このように、容器２を取り出すと、給水扉５が、自動的に閉じて元の施錠状態となる。
【００４６】
［効果］
以上のような本実施形態によれば、上記の第１の実施形態と同様の効果が得られるとともに、容器２が水平なスライド板３０上に載置されて移動するので、容器２を、安定した姿勢でスムーズに引き出すことができる。これにより、迅速な引き出しを実現でき、上述の効果をより一層高めることができる。
【００４７】
（３）第３の実施形態
［構成］
本発明の第２の実施形態を、図５の透視側面図を参照して説明する。すなわち、本実施形態の基本構成は、図１〜３の第１の実施形態と同様である。但し、本実施形態においては、台板２２が、支持部２０から独立して上下方向にスライド移動可能に設けられている。この台板２２のスライド移動は、水自動販売機１の本体側に設けられた垂直方向のガイドレール４０によって、ガイドされるように構成されている。
【００４８】
また、台板２２の下部には、下降速度が急激にならないように、且つ所定の位置で停止するように、緩衝機構が設けられている。この緩衝機構としては、スプリング、油圧シリンダ、気圧シリンダ等の種々のものが考えられるが、台板２２の下降をスムーズにするとともに、所定の位置で停止する機構であれば、どのような構造のものであってもよい。停止位置としては、利用者が持ち出し易い位置にあらかじめ設定しておくこともできるし、利用者が所望の位置に設定できるように、緩衝機構を調節可能に構成することもできる。
【００４９】
［作用］
以上のような構成を有する本実施形態は、次のように利用することができる。すなわち、上記の第１の実施形態と同様に、給水扉５を開けて、保持具３ａに空き容器２を押し込むことによって、支持部２０上に容器２をセットする。そして、容器２への浄水の充填後、利用者は、容器２の側面若しくは取っ手部分を持って、容器２を手前に引き寄せる。すると、容器２の移動に従って、その底面に接触する回動部材２１が回動するのでコロの機能を果たし、容器２に係る摩擦力が低減される。
【００５０】
従って、利用者は、浄水で満たされて重くなった容器２を、給水ボックス３から楽に引き出すことができ、関節への負担が軽減される。引き出された容器２は、回動部材２１のない台板２２において停止するので、勢いがついて容器２が滑落することを防止できる。そして、台板２２に容器２が載置されると、容器２の自重によって、台板２２が下降し、所定の位置で停止する。この状態で、利用者は容器２を運び出す。このように容器２を取り出すと、給水扉５が、自動的に閉じて元の施錠状態となる。
【００５１】
［効果］
以上のような本実施形態によれば、上記の第１の実施形態と同様の効果が得られるとともに、容器２が利用者にとって搬出し易い位置に停止するので、容器２の持ち出しがより一層楽になる。特に、車椅子等で利用する人や身長の低い人にとって、便利となる。さらに、台板２２の下降は、ガイドレール４０にガイドされてスライド移動するので、姿勢が安定し、所要スペースも節約できる。
【００５２】
（４）第４の実施形態
［構成］
本発明の第４の実施形態を、図６の透視側面図を参照して説明する。すなわち、本実施形態の基本構成は、図１〜３の第１の実施形態と同様である。但し、本実施形態においては、台板２２が、円弧状の軌道に沿って下降するように構成されている。この台板２２には、アーム部５０の一端が回動可能に連結されている。アーム部５０の他端は、水自動販売機１の本体に設けられた支持金具５１に回動可能に連結されている。また、アーム部５０と支持金具５１との接触圧は、台板２２の下降速度が急激にならないように調節されている。また、支持金具５１には、所定の角度になったアーム部５０に当接して停止させるストッパ（図示せず）が設けられている。停止位置としては、台板２２上の容器２を持ち出し易い位置にあらかじめ設定しておくこともできるし、利用者が所望の位置に設定できるように位置を可変として構成することもできる。
【００５３】
［作用］
以上のような構成を有する本実施形態は、次のように利用することができる。すなわち、上記の第１の実施形態と同様に、給水扉５を開けて、保持具３ａに空き容器２を押し込むことによって、スライド板３０上に、容器２をセットする。そして、容器２への浄水の充填後、利用者は、容器２の側面若しくは取っ手部分を持って、容器２を手前に引き寄せる。すると、容器２の移動に従って、その底面に接触する回動部材２１が回動するのでコロの機能を果たし、容器２に係る摩擦力が低減される。
【００５４】
従って、利用者は、浄水で満たされて重くなった容器２を、給水ボックス３から楽に引き出すことができ、関節への負担が軽減される。引き出された容器２は、回動部材２１のない台板２２において停止するので、勢いがついて容器２が滑落することを防止できる。そして、台板２２に容器２が載置されると、容器２の自重によって、アーム部５０が角度を変え、台板２２が円弧の軌道で下降して、所定の位置で停止する。この状態で、利用者は容器２を運び出す。このように容器２を取り出すと、給水扉５が、自動的に閉じて元の施錠状態となる。
【００５５】
［効果］
以上のような本実施形態によれば、上記の第１の実施形態と同様の効果が得られるとともに、第３の実施形態と同様に、容器２が利用者にとって搬出し易い位置に停止するので、容器２の持ち出しがより一層楽になる。特に、容器２が後方にせり出すように移動するので、短距離の横移動をさせる手間が省け、車のトランクや荷台に容器を移載する際に非常に便利である。
【００５６】
（５）第５の実施形態
本実施形態は、上記のいずれかの実施形態に、容器洗浄器及び手洗器を一体化したものである。但し、本実施形態は、単に、水自動販売機に既存の容器洗浄器及び手洗器を組み込んだものではない。以下に説明するように、容器洗浄器としても手洗器としても、衛生管理のための優れた特徴点を有するとともに、上記の各実施形態の特徴と相俟って、従来技術では得られなかった特異な作用効果を奏するものである。なお、以下の説明では、本実施形態の特徴を列記する形で述べるが、これらの特徴のうち、いずれの特徴を備えるか否かは自由である。
【００５７】
［全体構成］
すなわち、本実施形態においては、図７及び図８に示すように、上記のいずれかの実施形態の水自動販売機１と手洗器７及び容器洗浄器８とを一体化したものが併設されている。そして、容器洗浄器８と給水ボックス３との間には、容器２を自動搬送する容器搬送機構９が設けられている。
【００５８】
［手洗器の特徴］
手洗器７は、蛇口７０を捻ることにより、塩素殺菌された上水をそのまま利用できるものであり、容器洗浄器８の下部であって、利用者が手指を洗いやすい高さに配設されている。この手洗器７には、手洗用の石鹸液供給器７２が常設されている。なお、消毒用のアルコール噴霧器、紫外線照射器、その他の殺菌器などを併設すると、衛生確保のためにさらに効果的である。
【００５９】
この手洗器７の下部扉７３の内部には、蛇口７０への水道水の供給経路から分岐した経路に、水道水中の塩素、トリハロメタン等の発ガン物質、カビ臭、カルキ臭を除去する目的のフィルターと、一般細菌、大腸菌群を除去する目的のフィルター等が装着されている。そして、水道水は、これらのフィルターを経由した後、スイッチ操作等により制御される電磁弁類の開閉に応じて、後述する専用の洗浄ノズル８１を介して、容器洗浄機８内部の洗浄用の空間に噴出される構成となっている。
【００６０】
［容器洗浄器の特徴］
容器洗浄器８は、手洗器７の上部に配設され、その内部に、洗浄用の空間である洗浄ボックス８０が形成されている。洗浄ボックス８０は、洗浄水が容器２の外部へ流出しやすいように、容器２を上下逆さにして洗浄するものである。この洗浄ボックス８０の正面には、洗浄扉８０ａが設けられている。洗浄扉８０ａは、図９及び図１０に示すように、正面から見て向かって左側縁部が、蝶番により開閉可能に取り付けられている。この洗浄扉８０ａは、給水扉５と同様に、手動若しくは自動にて開閉、施錠可能に構成することが考えられる。
【００６１】
この洗浄ボックス８０内には、逆さになった容器２の給水口に対して、非接触で対向する位置に、上述の洗浄ノズル８１が設けられている。この洗浄ノズル８１は、一つには限定されない。例えば、洗浄ボックス８０内に複数配設し、上下部や横方向から、容器２の内外部に噴射する構造としてもよい。容器２のキャップ専用の載置場所を設けて、容器２とともに、キャップも洗浄できるように構成してもよい。
【００６２】
そして、スムーズな排水が可能となるように、洗浄ボックス８０の下部には、図１０〜図１２に示すように、逆さになった容器２の肩部を支えるとともに、容器２の給水口部分が空きスペースとなったメッシュ部材８２が配設されている。このメッシュ部材８２によって、容器２の給水口部分は、洗浄ノズル８１には接触せず、所定の位置において容器２が保持される構造となっている。
【００６３】
容器２の左右には、図１０〜図１２に示すように、所定の位置に容器２を保持するガイドバー８３が設けられている。なお、このガイドバー８３は、その幅を可変に設けてもよく、容器２を保持する方向に付勢するスプリングを設けることによって、多種の容器２に対応できるようにしてもよい。さらに、ガイドバー８３は、一段ではなく、所定の間隔で複数段設けて、より多種の容器２に対応できるようにしてもよい。また、後述するように給水ボックス３側に移動した後に、保持具３ａを兼用させるように構成してもよい。
【００６４】
洗浄ボックス８０の上部には、図１０及び図１１に示すように、容器２を押さえて移動を制限するための上部バー８４が設けられている。この上部バー８４の上端は、洗浄ボックス８０の天井に屈曲して取りつけられることにより、比較的強固なバネを構成している。また、上部バー８４の中間は、二つに分けられ、互いに蝶番によって連結されることにより、折曲可能に構成されている。この折曲部分は、比較的弱いバネによって、上部バー８４が伸張する方向に付勢されているので、その下端において容器２を押さえる力が微調整され、余分な力が加わらないように構成されている。
【００６５】
洗浄ボックス８０の天井は、通常、ステンレス等の、衛生的で構成物質が溶出しない素材で構成されている。さらに、微生物を死滅させたり、化学物質を分解処理できる塗布材によって、表面を加工処理してもよい。また、誤った位置に容器２を固定してしまった場合など、本来容器２の内外面を洗浄すべき洗浄水が、洗浄ボックス８０の壁面や天井面にかかってしまうことも考慮して、壁面、天井面を凹型に湾曲させておき、利用者側にふきこぼれないように構成してもよい。壁面、天井面の前に、さらに同素材のステンレス製等のメッシュ等を配置させることにより、跳ね返り水の緩和若しくは防止を図った構造としてもよい。
【００６６】
［容器搬送機構の特徴］
容器搬送機構９は、洗浄後の容器２を給水ボックス６側に搬送して給水可能な位置にセットする機構であり、逆さまになった容器２の方向を、反転させて元に戻す機能も有している。かかる搬送による容器２の通過が可能となるように、水自動販売機１と容器洗浄器８との間には、図示しない開口が設けられている。この開口を、開閉扉等によって開閉可能に設けるか否かは自由である。容器搬送機構９の具体的な構成は、種々考えられるため、特定のものには限定されない。
【００６７】
例えば、図１３に示すように、図示しない駆動源及び駆動機構によって回動する無端状のベルト９４に、ガイドバー８３を取り付けることにより、洗浄ボックス８０から容器２を移動させ、その移動端において容器２が反転し、上側に給水口部が位置する方向で、給水ボックス６内にセットされるように構成してもよい。そして、ベルト９４の水自動販売機１側と容器洗浄器８側とにそれぞれ一対のガイドバー８３を設け、一方のガイドバー８３に保持された容器２への給水と、他方のガイドバー８３に保持された容器２の洗浄とを同時に行った後、ベルト９４の移動に従って、洗浄後の容器２を保持したガイドバー８３と、給水後に容器２が外されたガイドバー８３とが、交互に入れ替わることによって、洗浄及び給水、容器搬送を、タイミングよく行うことができる。
【００６８】
また、図１４に示すように、無端状のベルト９５上に、別途駆動源により反転した容器２が載置され、ベルト９５の回動に従って、ガイドバー８３及び容器２が横に移動するように構成してもよい。開閉可能なガイドバー８３が容器２を解放してから、ベルト９５によって搬送され、水自動販売機１側の保持具３ａに保持されるように構成してもよい。図１５に示すように、別途駆動源により反転した容器２が、開閉可能なガイドバー８３から解放されることにより、自重でスロープ９７を滑って移動して、水自動販売機１側の保持具３ａに保持されるように構成してもよい。ガイドバー８３及び保持具３ａの開閉を自動的に行うように構成してもよい。
【００６９】
なお、上記の容器２の反転の際には、容器２を支えるメッシュ部材８２等が緩衝しないように、スペースを空けておくことが望ましい。また、上記のベルト９４，９５は、無端状のものを広く意味するものであり、チェーンのように複数の部材を連結されたものや、紐状、糸状、帯状、ワイヤー状等のものであってもよい。紐状、糸状、帯状、ワイヤー状等のものを、リール等に巻き取るようにして、一方から他方へ移動させるものであってもよい。容器洗浄器８と水自動販売機１との間を移動可能に構成されたテーブル上に、容器２が載置され、テーブルの移動に従って、容器２が移動するように構成してもよい。
【００７０】
また、図１６に示すように、無端状のラック９０上を、駆動源により駆動される小径ギヤ９３が回動しながら移動するように構成してもよい。かかる構成の場合でも、水自動販売機１側と容器洗浄器８側とにそれぞれ小径ギヤ９３に取りつけられた一対のガイドバー８３を設け、一方のガイドバー８３に保持された容器２への給水と、他方のガイドバー８３に保持された容器２の洗浄とを同時に行った後、それぞれの小径ギヤ９３の回動に従って、洗浄後の容器２を保持したガイドバー８３と、給水後に容器２が外されたガイドバー８３とが、交互に入れ替わることによって、洗浄及び給水、容器搬送を、タイミングよく行うことができる。
【００７１】
この場合に、小径ギヤ９３の回動に従って、容器２が複数回回転しながら移動するようにしてもよいが、図１７に示すように、ガイドバー８３に固定された小径ギヤ９３の軸９３ａを、小径ギヤ９３とは独立に回動可能に設けておき、これを駆動源により回動可能に構成することにより、移動前若しくは移動後等に、軸９３ａを小径ギヤ９３とは別に回動させて、容器２の反転を独立して行わせることもできる。
【００７２】
また、図１８に示すように、ラック９０上を回動しながら移動する大径ギヤ９１と、この大径ギヤ９１に係合し、図示しない駆動源によって回動可能に設けられた小径ギヤ９２とを、左右方向に移動可能に設け、大径ギヤ９１の軸９１ａに、ガイドバー８３の後部を取り付けたものも考えられる。かかる構成の容器搬送機構９では、駆動源が作動して、小径ギヤ９２が回動することにより、大径ギヤ９１も回動して、水自動販売機１側へと移動する。この大径ギヤ９１の回動とともに、ガイドバー８３も回動するので、移動端に達した容器２は、上側に給水口部が位置する方向で、給水ボックス６内にセットされる。なお、この場合にも、軸９１ａの回転を大径ギヤ９１とは独立して行わせるように構成してもよい。
【００７３】
［動作］
以上のような本実施形態は、次のように利用することができる。すなわち、キャップを外した空き容器２を持った利用者は、洗浄扉８０ａを開き、容器２を、その給水口が下方となるように、ガイドバー８３にセットする。また、キャップを、専用の載置場所に載置する。そして、洗浄ノズル８１から噴出される洗浄用水によって、容器２及びキャップが洗浄される。本実施形態においては、上記のように、下部扉７３の内部に、水道水から塩素・トリハロメタン・細菌類を取り除く各種フィルター類が装着されており、各種フィルター内を通過する水道水は、水道水中の不純物を除去され、電磁弁の開閉に従って、洗浄ボックス８０内の洗浄ノズル８１から、利用者の所望の若しくはあらかじめ定められた時間及び量で容器２に対して噴出される。これにより、容器２の外部及び内部、容器２の給水口部分、キャップ等も洗浄される。
【００７４】
こののような容器２の洗浄中に、利用者は、容器洗浄器８の下部の手指を洗うのに適した高さに設けられた手洗器７によって、手指を洗浄することができる。かかる容器２の洗浄後に、容器搬送機構９が、容器２を給水ボックス３側に搬送するとともに、反転させる。給水ボックス３内にセットされた容器２に対しては、上記の各実施形態で示したように、給水及び取出しを行うことができる。
【００７５】
［効果］
以上のような本実施形態によれば、洗浄ボックス８０の下部に、水道の蛇口等を備えた手洗器７が設けられているので、利用者に対して、利用前の手洗いを励行しやすくなり、衛生の確保に寄与することができる。手指が汚染されている可能性がある利用者であっても、かかる手指を手洗器によって殺菌するとともに、併設された容器洗浄器８によって、容器２もあらかじめ殺菌洗浄することができるので、手指の洗浄と容器２の洗浄を同時並行的に行うことによる所要時間の短縮化を図ることができる。
【００７６】
特に、衛生観念の厳しい利用者や、待機時間に耐えられない利用者であっても、安心して且つ苛立つことなく利用することができ、特定の顧客に拒否されるようなことがない。これに加えて、食品衛生法上の従来の規格基準と、今回改正された指導要領の趣旨に本質的に合致させることができる。従って、利用者を選ばずに顧客吸引力を高めることができ、設置場所が制限されないので、全体として経済的利益を得やすい販売機となる。
【００７７】
また、上記のように安全性を十分に確保された容器２を、給水ボックス３において給水を受ける以前に準備して、先行する利用者が給水を受けている間に、手指の殺菌、容器２の内外の十分な洗浄殺菌、キャップの洗浄殺菌等を行うことができる。つまり、容器洗浄と自動販売機による給水を二段階に分けて、二人以上の利用者が重複して利用することができるようにすることで、一人の利用者のみが長時間サービスを受けている場合の非効率から脱却し、サービス時間の短縮と同時に、利用者に待ち時間を浪費させることから来るフラストレーションを分散解消できる。上記のような時間短縮作用を利用して、容器２をより念入りに洗浄させることも可能である。
【００７８】
さらに、容器搬送機構９によって、洗浄ボックス８０から給水ボックス３への容器２の搬送を、利用者の手に触れることなく自動的に行うことができるので、利用者の手間が省けるとともに、洗浄後の容器２が外気に触れたり、利用者の手に触れたりすることにより、洗浄効果が低減することがない。給水ボックス３内にセンサ等を設けて、先行する利用者が、給水ボックス３において給水を受けている間は、センサが容器２が存在することを検知して容器搬送機構９を作動させず、給水ボックス３から容器２が取り出された時に、この取り出しをセンサが検知して、容器搬送機構９の作動を許可することにより、効率のよい処理が可能となる。
【００７９】
（６）他の実施形態
本発明は、上記のような実施形態に限定されるものではなく、各構成部材の形状や材質、配置数、配置箇所、移動させるための構成や、部材の移動方向、さらには容器を設置する数などは適宜変更可能である。例えば、上記の第２の実施形態において、容器をセットする支持部２０自体が移動する構成とすることも考えられる。この場合には、例えば、単数でしかるべき幅のある物又は複数の移動が容易なレール状の物に、支えられていてもよい。スライド板３０とガイド部材若しくは支持部２０との接触部分を、平滑性のある材料としてもよい。ストッパ３１の配置位置は自由であり、例えば、スライド板３０の奥側に設けた突起が、支持部２０の奥側に設けた係止部に当接して停止する構造としてもよい。  
【００８０】
また、スライド板３０、台板２２は、容器２が運び出された後に、スプリング、油圧シリンダ、気圧シリンダ等の付勢部材や駆動機構によって、初期位置に復帰するように構成してもよい。台板２２は、容器２の自重ではなく、利用者の手動でのみ下降し、所望の位置に停止させるように構成してもよい。台板２２を、駆動源及び駆動機構によって、所望の位置に昇降するように構成してもよい。例えば、トラックの荷台に乗せる場合には、上昇した方が便利な場合がある。
【００８１】
また、水自動販売機１において、給水ボックス３への容器２のセット位置と、給水ボックス３からの引き出し位置とが一致している必要はない。前方から入れて後方から引き出される構造としてもよい。容器２が載置される可動部材を、ターンテーブルとして、ターンテーブルの回動に従って給水ボックス３へのセットと引き出しが行われる構成としてもよい。このように、可動部材の種類、その移動方向、移動量等は、上記の実施形態で例示したものには限定されない。例えば、多数のそろばん玉のような回転部材であっても、多数の球状の回転部材であってもよい。複数のスライド部材であってもよい。コンベアのように、無端状のベルトが回動する構成であってもよい。
【００８２】
また、容器２の洗浄に用いる水は、上記の実施形態で例示したものよりも、さらに精緻な処理水でもよい。例えば、処理後に、オゾンを溶解させたり、紫外線を通過殺菌させた水を使用してもよく、次亜塩素酸ナトリウムなどの酸化剤を利用してもよい。洗浄水は、水道水を原水にしたもの以外は、リンス水にて再洗浄を必要とし、殺菌、除菌処理以降にて、それらの臭気や毒性物質の洗い流しを行うこともある。
【００８３】
また、容器２に対する洗浄用水の噴射圧力が不足することが予想される場合などは、殺菌装置を内蔵した一次タンクに、噴射用水を留保し、加圧ポンプ等によって噴射圧力を加圧して、容器２の洗浄に必要な圧力を確保してもよい。洗浄ノズル８１を複数にすることはもちろん、洗浄ノズル８１の形状を可変としたり、異なる形状の洗浄ノズル８１に交換可能としたり、洗浄ノズル８１の位置が移動するように構成してもよい。洗浄時、給水時の容器２の方向も上記のものには限定されない。上記の容器洗浄、容器搬送、給水のいずれかの領域において、紫外線照射による殺菌処理を施してもよい。浄水装置の種類、金銭の収集方法等も特定のものには限定されない。
【図面の簡単な説明】
【００８４】
【図１】本発明の第１の実施形態を適用した容器式の水自動販売機の正面図である。
【図２】図１の実施形態の透視側面図である。
【図３】図１の実施形態の透視側面図である。
【図４】本発明の第２の実施形態の透視側面図である。
【図５】本発明の第３の実施形態の透視側面図である。
【図６】本発明の第４の実施形態の透視側面図である。
【図７】本発明の第５の実施形態を適用した容器式の水自動販売機の正面図である。
【図８】図７の実施形態の側面図である。
【図９】図７の実施形態の洗浄ボックスを示す斜視図である。
【図１０】図９の透視正面図である。
【図１１】図９の透視側面図である。
【図１２】図９の底面図である。
【図１３】図７の実施形態の容器搬送機構の一例を示す簡略背面図である。
【図１４】図７の実施形態の容器搬送機構の一例を示す簡略背面図である。
【図１５】図７の実施形態の容器搬送機構の一例を示す簡略背面図である。
【図１６】図７の実施形態の容器搬送機構の一例を示す簡略背面図である。
【図１７】図７の実施形態の容器搬送機構の一例を示す簡略背面図である。
【図１８】図７の実施形態の容器搬送機構の一例を示す簡略背面図である。
【符号の説明】
【００８５】
１…水自動販売機
２…容器
３…給水ボックス
３ａ…保持具
５…給水扉
５ａ…ハンドル部
６…取出口
７…手洗器
８…容器洗浄器
９…容器搬送機構
１２…給水ノズル
２０…支持部
２１…回動部材
２１ａ…軸部
２２…台板
３０…スライド板
３１…ストッパ
３２…緩衝部材
４０…ガイドレール
５０…アーム部
５１…支持金具
７０…蛇口
７２…石鹸液供給器
７３…下部扉
８０…洗浄ボックス
８０ａ…洗浄扉
８１…洗浄ノズル
８２…メッシュ部材
８３…ガイドバー
８４…上部バー
９０…ラック
９１…大径ギヤ
９１ａ，９３ａ，９６…軸
９２，９３…小径ギヤ
９４，９５…ベルト
９７…スロープ
【図１】
2005196302.tif 000003
【図２】
2005196302.tif 000004
【図３】
2005196302.tif 000005
【図４】
2005196302.tif 000006
【図５】
2005196302.tif 000007
【図６】
2005196302.tif 000008
【図７】
2005196302.tif 000009
【図８】
2005196302.tif 000010
【図９】
2005196302.tif 000011
【図１０】
2005196302.tif 000012
【図１１】
2005196302.tif 000013
【図１２】
2005196302.tif 000014
【図１３】
2005196302.tif 000015
【図１４】
2005196302.tif 000016
【図１５】
2005196302.tif 000017
【図１６】
2005196302.tif 000018
【図１７】
2005196302.tif 000019
【図１８】
2005196302.tif 000020